(57)【要約】【課題】  遊技媒体貸出機補給口扉のスムーズな開閉を目的とする。【解決手段】  遊技媒体貸出機２０正面に取り付けられた遊技媒体補給口扉２３の左右側板２８と嵌装して、遊技媒体貸出機２０内部に設けた袋状のガイド２９によって、遊技媒体補給の際、該補給口扉２３開閉時に該側板２８が貯留遊技媒体に当接することを防止する。【選択図】  図４
2008099765.tif 000002
【特許請求の範囲】
【請求項１】
下端部が軸支され上開きに開閉可能に構成された遊技媒体の補給口扉を備えた遊技媒体貸出機において、
前記補給口扉の閉扉時に前記補給口扉の左右側板を収納する袋状ガイドを備え、
前記補給口扉を閉じるときに前記左右側板が遊技媒体貸出機本体側面と前記袋状ガイドとの間隙に嵌挿されることを特徴とする遊技媒体貸出機。
【請求項２】
前記補給口扉の側板に形成された突起部と、前記遊技媒体貸出機上部に形成された開扉制御溝とが係合することによって、前記補給口扉の開放角度を限定するように形成したことを特徴とする請求項１記載の遊技媒体貸出機。
【請求項３】
前記補給口扉と前記側板との結合部を傾斜面としたことを特徴とする請求項１または２記載の遊技媒体貸出機。
【発明の詳細な説明】
【技術分野】
【０００１】
本発明は、遊技機に隣設して設けた遊技媒体の貸し出しを行う遊技媒体貸出機に関し、特にメダル補給用の補給口扉を備えた遊技媒体貸出機に関する。
【背景技術】
【０００２】
例えば、スロットマシンなどの遊技機においてゲームを行う際には遊技媒体としてメダルが用いられ、このメダルは遊技機に隣設されたメダル貸出機によって現金や、プリペイドカードなどの有価価値媒体の投入と引き換えに貸し出しを受けることができ、遊技者は貸し出されたメダルを用いてゲームを開始する。
【０００３】
このようなメダル貸出機は常時遊技者にメダルを払い出すことができるように、自動または手動によって内部に補給されるメダルを貯留しておくホッパー装置が設けられており、特に手動によるメダルの補充はメダル貸出機の正面に設けられた開閉扉を上開きに開扉したときに現れるメダル補給口を通じて、貸出機内部に収容されたホッパー装置に備わるホッパータンクに上方よりメダルを補充するといった方法が一般的である。そして、このような構成のホッパー装置はホッパータンクの容量以上のメダルを確保して大容量とするために、開閉扉の後背部に形成されたスペースも貯留タンクとして活用している。
【０００４】
従来の補給口扉は、例えば特許文献１のように貸出機内部側面より横方向に突出しているピンと、ピンに嵌合して設けられた補給口扉側板に切り欠かれた弧状スリットによって案内され、補給口扉下端の支軸を中心として前後に補給口扉が開閉する仕組みとなっている。また、このようなピンとスリットは設けず、単に補給口扉側板が貸出機内部に向かって延設されただけのものも多く見られる。
【０００５】
【特許文献１】実開平４−５８８７号公報
【発明の開示】
【発明が解決しようとする課題】
【０００６】
しかしながら、上記のメダル貸出機補給口扉の構造では、補給口扉を開扉してメダルをホッパー装置に補充したのち補給口扉を閉めようとする際に前記補給口付近まで貯留されたメダルが補給口扉の左右側板の縁とぶつかって左右側板の進入を妨げ、扉の押し込み時に困難が生じていた。また、特許文献１のような機構においては、前記左右側板のスリットにメダルが詰まる可能性もあり、扉の開閉には問題があった。
【課題を解決するための手段】
【０００７】
本発明は以上のような課題に鑑みなされたもので、請求項１に記載の発明は、下端部が軸支され上開きに開閉可能に構成された遊技媒体の補給口扉を備えた遊技媒体貸出機において、前記補給口扉の閉扉時に前記補給口扉の左右側板を収納する袋状ガイドを備え、
前記補給口扉を閉じるときに前記左右側板が遊技媒体貸出機本体側面と前記袋状ガイドとの間隙に嵌挿されることを特徴とする遊技媒体貸出機である。
【０００８】
上記のように、遊技媒体補給口扉の左右側板が内部の貯留されている遊技媒体から本体内部に取り付けられている袋状ガイドによって守られている為、遊技媒体と当接することがなく、貸出機への遊技媒体補充の扉開閉時に補給口扉の左右側板が遊技媒体に邪魔をされ、中に押し込むことが出来ないといった不具合を回避することが可能となる。
【０００９】
請求項２に記載の発明は、請求項１に記載の遊技媒体貸出機において、前記補給口扉の側板に形成された突起部と、前記遊技媒体貸出機上部に形成された開扉制御溝とが係合することによって、前記補給口扉の開放角度を限定するように形成したことを特徴とする遊技媒体貸出機である。
【００１０】
上記のように、前記側板が補給口の開く角度を限定する役割を担う為、簡単な構造で補給口を形成することができる。
【００１１】
請求項３に記載の発明は、請求項１または２に記載の遊技媒体貸出機において、前記補給口扉と前記側板との結合部を傾斜面としたことを特徴とする遊技媒体貸出機である。
【００１２】
上記のように、前記補給口扉と前記側板との結合部を傾斜面としたので、この傾斜面を遊技媒体が滑ることにより、補給口扉と側板との間に遊技媒体が挟まれて補給口扉を閉めることができなくなるのを防止することができる。
【発明の効果】
【００１３】
本発明の遊技媒体貸出機は、貸出機本体側面とで間隙を形成する袋状ガイドを設け、補給口扉を開閉するときに補給口扉の側板がこの間隙に入り込むようにしたので、内部に貯留されている遊技媒体と補給口扉の側板がぶつかりあって補給口扉の開閉の妨げになるのを防止することができる。
【００１４】
補給口扉の側板には突起部が設けられており、遊技媒体貸出機上部に形成された溝と係合することによって補給口扉を開く角度を限定することができる。また、補給口扉と側板との結合部を傾斜面としたので、補給口扉を閉じる時に補給口扉と側板との間に遊技媒体が挟まれてもこの傾斜面で滑って外れ、補給口扉を閉じることができなくなってしまうのを防止することができる。
【発明を実施するための最良の形態】
【００１５】
次に、本発明の最良な実施形態について図面を参照しながら具体的に説明していく。なお、本実施例では遊技機であるスロットマシンに用いられる遊技媒体であるメダルを貸し出す遊技媒体貸出機であるメダル貸出機を例示して説明するが、パチンコ台の玉貸出機など各種遊技機で用いられる遊技媒体を貸し出すいずれの構成にも適用することができる。（以下、遊技機はスロットマシン、遊技媒体貸出機はメダル貸出機、遊技媒体はメダルと称す。）そして、図１はスロットマシンと、それに隣設させた本発明メダル貸出機の正面図、図２は図１に示すメダル貸出機の側面図、図３は補給口扉部の側面図(閉扉時)、図４は補給口扉部の側面図(開扉時)、図５は補給口扉部の上面図(閉扉時)、図６は補給口扉側板の傾斜面付近の拡大図である。
【００１６】
図１に図示するように、遊技を始めるにはスロットマシン１０に隣接して設置されたメダル貸出機２０から遊技者が投入した現金または有価価値媒体が持つ有価価値と引き換えにメダルの貸出しを行う。そして、貸出されたメダルはスロットマシン１０のメダル投入口１１から投入し、各スロットマシン１０に定められた入賞ラインのうち任意のラインを遊技者が指定した後スタートレバー１２を押下することにより、リール表示部１３の奥に設置された視認可能な３本のリールが回転を始める。遊技者はこの３本のリールの回転と対応するように設けられた３つのストップスイッチ１４を押圧することによりリールの回転を止め、各リールに表示された絵柄が入賞ライン上に定められた絵柄通り並ぶと各絵柄の揃い方に対応した入賞が果たされ、遊技機下に設置された受け皿１５にメダルが払い出されるというものである。
【００１７】
次に、図１および図２に示すように、メダル貸出機２０の前面は補給口扉２３、メダル払い出し口板２２、紙幣収納扉２４によって閉塞されている。メダル貸出機２０の下部に配設された紙幣収納扉２４には紙幣投入口２７となる開口が設けられ、紙幣投入口２７より投入された紙幣は内部に備わる紙幣識別装置に受け入れられて金種と真偽とが判別される。そして、この紙幣識別装置にて貸出可能な金種であり真券であると判断された場合には、紙幣識別装置の内部に形成された紙幣収納部２６に紙幣が収納される。また、紙幣識別装置にて受け入れが拒絶された紙幣は、紙幣投入口２７から返却されることとなる。
【００１８】
紙幣収納扉２４は施錠されており、回収するなどの理由で内部に収納された紙幣を取り出す際は、対応した鍵を用いて取り付けられた回転式錠を解錠する。解錠後は紙幣収納扉２４を上開きに前方に開放し、内部に取り出し可能に設置された紙幣収納部２６を引き出し、中に収納された紙幣を回収する。
【００１９】
メダル貸出機２０前面の上部には、メダルを内部貯留部へ補給するための補給口扉２３が設けられている。なお、前記紙幣収納扉２４と同様に補給口扉２３も回転式錠３０により施錠されており、開扉するには対応した鍵が必要となる。なお、補給口扉２３の下側には着脱可能なメダル払い出し口板２２が取り付けられていて、内部にはメダルを貯留しておくホッパータンク２５が収納されている。メダル払い出し口板２２は該補給口扉２３との係合部によって着脱が係止されているため、ホッパータンク２５に不具合が生じてメダル払い出し口板２２を取り外す際にはまず補給口扉２３を開放する必要がある。この機構によって、１つの施錠で補給口扉２３とメダル払い出し口板２２との両方をロック出来るという効果を有している。      
【００２０】
補給口扉２３、メダル払い出し口板２２の内部にはメダルを貯留するホッパー装置が収容されている。このホッパー装置はメダル払出機構の上部にホッパータンク２５を載置したもので、遊技者がメダルの貸出を受ける際にはホッパータンク２５から流入するメダルの枚数を計数し、メダル貸出機２０の外部へ送り出す。なお、メダルの送り出し形態によって遊技機の下部に設置された受け皿１５に送り出すタイプや、遊技機のメダル投入口１１に直接送り出すタイプなどがあるが、いずれの機構にも適応することができる。本実施例は後者を示したものである。
【００２１】
補給口扉２３の内部にはホッパータンク２５より溢れ出て積み重なったメダルを貯留する空間があり、メダルを補給する際はこの空間を利用してメダルを貯留しておくのが一般的である。また、メダル貸出機２０の内部天井からぶら下がるように貯留センサ３５が設けられていて、このセンサの働きによりメダルがセンサ位置まで貯留されたかどうかを知ることができる。なお、この貯留センサ３５によるメダル量の情報はメダル貸出機２０の前面に設けられた表示部１６に表示される。
【００２２】
次に、図３、図４に図示するように、メダル貸出機２０の上部内壁側面には袋状ガイド２９が取り付けられており、補給口扉２３の閉扉時には補給口扉側板２８は貸出機本体側面と袋状ガイド２９との隙間に入り込む形で収納され、ホッパータンク２５の上部まで貯留されたメダルに側板２８が当接することなくスムーズな扉の開閉が可能となる。また、図５、図６に図示するように、補給口扉側板２８と補給口扉２３との結合部には傾斜面３３が設けられており、補給口扉２３を閉めた際に仮に補給口扉２３と側板２８との間にメダルがあった場合でも傾斜面３３でメダルの周縁部が滑って、メダルを挟みこんでしまうといった支障をきたす心配がない。また、補給口扉側板２８には突起部３２が設けられており、補給口扉２３の開扉時には一定の角度まで開くと該突起部３２がメダル貸出機２０の天井部前面側に欠成された開扉制御溝３１と係合し、補給口扉２３の開き角度を限定する働きを兼ねている。
【００２３】
メダル貸出機２０内部のホッパータンク２５へメダルを補給する際には、補給口から手でメダルを投下する。なお、自動でホッパータンク２５へメダルを補給する構造のものもあり、その際にはメダル貸出機２０の背面に開閉自在にカバーを備えた穿孔が設けられていて、そこから貯留センサ３５と連動して遊技機島内から搬送されてきたメダルが補給される。メダル貸出機２０の補給口扉２３とメダル払い出し口板２２との間の内側には滑降板３４が設けられており、補給口またはメダル貸出機２０背面の穿孔から投下されたメダルはこの滑降板３４を介してホッパータンク２５に貯留される。滑降板３４はホッパータンク２５から溢れ出て貸出機内の上部空間に貯留されたメダルの重圧により、メダル払出機構によるメダルの払出しに不具合が生じるのを防止している。また、ホッパータンク２５が圧壊しないように圧力を軽減させる働きを同時に兼ね備えている。  
【図面の簡単な説明】
【００２４】
【図１】スロットマシンと、それに隣設させた本発明メダル貸出機の正面図である。
【図２】図１に示すメダル貸出機の側面図である。
【図３】補給口扉部の側面図(閉扉時)である。
【図４】補給口扉部の側面図(開扉時)である。
【図５】補給口扉部の上面図(閉扉時)である。
【図６】補給口扉側板の傾斜面付近の拡大図である。
【符号の説明】
【００２５】
１０  遊技機  (スロットマシン)
２０  遊技媒体貸出機  (メダル貸出機)
２２  メダル払い出し口板
２３  補給口扉
２４  紙幣収納扉
２５  ホッパータンク
２６  紙幣収納部
２７  紙幣投入口
２８  補給口扉側板
２９  袋状ガイド
３０  回転式錠  
３１  開扉制御溝
３２  突起部  
３３  傾斜面
【図１】
2008099765.tif 000003
【図２】
2008099765.tif 000004
【図３】
2008099765.tif 000005
【図４】
2008099765.tif 000006
【図５】
2008099765.tif 000007
【図６】
2008099765.tif 000008